(57)【要約】【課題】数字選択式宝くじを買うにあたり、１等当選確率が約６００万分の１であるのに対し、時にはこの当選確率以上に申し込まれているにも関わらず、当選しないときがあります。【解決手段】本発明は上記課題を解決するために、申込み数字同士が被らないように数字選択を支援することにより、当選の確率を上げることを目的とする。図１に示すように、自分で選んだ申込み数字を入力して検索すると、現時点での申込み数字の組み合わせ及び個別の申込み数字の検索回数が表示される仕組みになっている。【選択図】図１
2017097424.tif 000002
【特許請求の範囲】
【請求項１】
数字選択式宝くじで、申込み数字を入力して検索をかけると、その検索をかけた数字が、現段階で、何回検索されたかが数字で表示されることを特徴とする数字選択式宝くじの購入支援プログラム。
【発明の詳細な説明】
【技術分野】
【０００１】
本発明は、数字選択式宝くじの購入に伴い申込数字を決定するに際して、候補となる数字を絞り込む助けとなる数字選択式宝くじ購入支援システムを稼働させるプログラムに関する。
【背景技術】
【０００２】
現在各種の数字選択式宝くじが発売されている。具体的には、１〜４３の４３個の数字の中から、異なる６個の数字を選んで購入する「ロト６」、１〜３７の３７個の数字の中から、異なる７個の数字を選んで購入する「ロト７」、１〜３１の３１個の数字の中から、異なる５個の数字を選んで購入する「ミニロト」、また、「０００」から「９９９」までの中から好きな３ケタの数字と申込タイプを選ぶ「ナンバーズ３」、「００００」から「９９９９」までの中から好きな４ケタの数字と申込タイプを選ぶ「ナンバーズ４」等が発売されている。
通常購入者自らが複数の数字の組み合わせを選択するのであるが、その選択の仕方としては誕生日、自動車のナンバー、電話番号、郵便番号等を参照しながら選択する者が少なくない。しかし、係る購入方法では選択肢が少なく、毎回同じような数字の選択を繰り返すことになり、購入の楽しみが漸減してしまうということになる。
そこで、過去の当選データを基に当選数字を予想するような方法や、数字選択を支援する方法が各種提案されている（下記の先行技術文献参照。）。
また、インターネット上では、様々な攻略・予想サイトも提供されています。そのうちの一つとして、数字一つを選び、その選んだ数字が何票選ばれたかが集計されるものがある。
【先行技術文献】
【特許文献】
【０００３】
【特許文献１】特開２００３−２２３４４号公報
【特許文献２】特開２００３−２５６６０４号公報
【特許文献３】特開２００３−２９６４９６号公報
【特許文献４】特開２００２−７３８８２号公報
【発明の概要】
【発明が解決しようとする課題】
【０００４】
毎回のように、約１５億〜３５億円もの売り上げを誇る「ロト６」「ロト７」ですが、この莫大な金額が一体何口分にあたるかというと、実に１０００万口以上になる日もあります。「ロト６」の１等当選確率は、約１／６００万ですので、毎回１等が出るのが当たり前です。しかし、これだけの口数ですと、何口も組合せ数字が被る結果となります。そのため、１０００万口以上の口数が買われても、１等当選が０口の日が多々あります。結局、当選確率以上に買われても、１等が０口、もしくはたったの１〜２口程度なのです。    他の人と数字が被った時点で、１等当選はないと思ってよいかもしれません。
ここで考え方を変えて、１等狙いでなく誰とも被らない数字を狙うことによって逆に１等当選の可能性を高めることを考えてはどうでしょうか。１等当選数字を予想することは原理的に不可能です。しかしながら、仮に当選した場合に、他の人と数字が被っていないことによって、当選金を高めることが可能になります。そのためには他の人と被らない数字を選ぶとことが必要になります。ただ、他の人が購入した数字を知ることはできません。
また、インターネット上では、様々な攻略・予想サイトも提供されています。そのうちの一つとして、数字一つを選び、その選んだ数字が何票選ばれたかが集計されるものがある。一つずつ選ぶのではなく、「ロト６」なら６個の数字を選んで、その選んだ数字の組み合わせが何回検索されたかが表示され、更にその組合せ数字の一つ一つが個別に何回検索されたかが表示されるようになれば、より予想をしやすくなるものです。
【課題を解決するための手段】
【０００５】
前記課題を解決するために、数字選択式宝くじの購入支援プログラムであって、宝くじ購入前に、申込み数字を入力して検索をかけると、その検索をかけた数字が、現段階で、何回検索されたかが数字で表示されることを特徴とする。
【発明の効果】
【０００６】
本発明により、数字選択式宝くじを購入前に、自身が購入予定の数字及びその数字の組み合わせと、他の購入予定者の購入予定数字及びその数字の組み合わせと、被っているかを間接的に知ることができるものである。
【図面の簡単な説明】
【０００７】
【図１】図１は本発明の検索表示画面の一例
【図２】図２は本発明のプロセスの流れの一例を示すフローチャート
【発明を実施するための形態】
【０００８】
図面を参照しながら本発明の実施態様を説明します。図１は本発明の一つの実施例である「ロト６」の場合の操作画面を表示している。また図２はフローチャートの一例表示している。まず初めに使用説明をしますと、ロト６、ロト７、ミニロトのいずれかを選びクリックします。ロト６を選んだ場合は、１〜４３の数字の中から購入予定数字を６個選び、図１の組合せ数字入力欄１に６個の数字をそれぞれ入力します。入力したら検索ボタン２をクリックします。
すると図１の検索結果表示部３の組合せ数字欄４に入力した６個の数字が表示され、その隣の組合せ数字検索回数欄６には入力した数字の組み合わせが何回検索されたかが表示されます。またその下の個別検索回数欄５には入力した６個の数字のそれぞれが個別に今現在で何回検索されたかが表示されます。
既に検索されている数字でも買われていない可能性もありますが、買われている可能性が非常に高いと考えられます。この検索結果を参考とすることにより、他の購入者と購入数字が被ることなく買うことができます。そのためには、本プログラムはインターネット等を通して広く提供され、不特定多数あるいはできるだけ多くの利用者を前提とするものである。
なお上記において検索とは、本プログラム（サービス）の利用者が過去に入力検索した個別の数字、組合せ数字及びその検索回数が記憶されたメモリ部から、今回入力した個別の数字及びその組合せ数字の検索回数を検索するものである。また、数字選択式宝くじの発売に合わせて毎回メモリ部がリセットされることが望ましい。
【０００９】
それでは次に「被らずに買う」ことが如何に重要かを説明します。毎回のように、１５億〜３５億円の売り上げを誇る「ロト６」「ロト７」ですが、この莫大な金額が一体何口分にあたるかということを考えてみてください。「ロト６」が１口２００円、「ロト７」が１口３００円なので、実に１０００万口以上になる日もあります。「ロト６」の１等当選確率が約１／６００万ということは、毎回１等が出るのが当たり前なのです。しかしながら、これだけの口数ですと、何口もの組合せ数字が被る結果となります。他の人が買った組合せ数字も、殆ど被っていると考えるべきでしょう。なぜなら、上記のように１０００万口以上の口数が買われても、１等当選が「０口」の日が多々あるからです。結局、当選確率以上に買われても、１等が０口、もしくはたったの１〜２口程度なのです。このことから他の人と被った時点で、１等当選は難しいと言えます。
ここで考え方を変えてみてはどうでしょう。１等狙いではなく、誰とも被らない数字を狙うことによって、実は、この考えが１等の近道になるのです。しかしみんなが買った数字を知ることなどは不可能ですし、数字を被らずに買うこともは可能です。当然です。今のままでは無理です。この問題を解決するために開発されたのが本発明に係るプログラムです。
１等当選が「０口」、もしくはたったの「１〜２口」程度ということは、如何に「組合せ数字を被らずに買うか」なのです。被らずに買えたらどうでしょう。１等当選「０口」の日がなくなります。キャリーオーバーはなくなりますが、皆さんは当然、１等を狙って買っています。１等当選「０口」のキャリーオーバー狙いの人はまずいないでしょう。「他の人と違う数字を選ぶ」、これこそが１等当選への近道なのです。時には、１０００万口を超えるほど買われているにもかかわらず、１等当選が「０口〜１、２口」と少ないのは、皆さんが買われた「組合せ数字」が、ハズレの「組合せ数字」と大量に被っている証拠なのです。何度も言いますが、「如何に被らずに買うか」、そのための宝くじ購入支援プログラムです。これらの事から、今までに存在していなかったこのプログラムの必要性、かつ、宝くじ購入支援としての強さがお分かりいただけたと思います。毎月約１２回もの億のチャンスなのです。高額当選を果たすためには、１人でも多くの人が本プログラムを利用することにより、その結果、本プログラム検索結果の精度を上げることにつながり、以前は夢の１等当選だったのが、本プログラムの存在により夢ではなくなるかもしれません。
【符号の説明】
【００１０】
１  組合せ数字入力欄
２  検索ボタン
３  検索結果表示部
４  組合せ数字欄
５  個別検索回数欄
６  組合せ数字検索回数欄
【図１】
2017097424.tif 000003
【図２】
2017097424.tif 000004